(57)【要約】【課題】室内ユニット側の冷媒配管が接続される閉鎖弁を支持しており、室外ユニットの第１固定部及び第２固定部に掛け渡される板状の閉鎖弁サポート部材において、閉鎖弁のサービスポートの操作性を確保するとともに強度を向上させる。【解決手段】閉鎖弁サポート部材３０は、装着部３５と、干渉防止部３６と、段差部３７とを備えている。装着部３５は、閉鎖弁６１、６２のサービスポート６１ａ、６２ａが長手方向に直交する方向に突出した状態で閉鎖弁６１、６２が装着される。干渉防止部３６は、長手方向から見た際に装着部３５に対してサービスポート６１ａ、６２ａから板厚方向に離れた位置にあり、板厚方向から見た際にサービスポート６１ａ、６２ａと重なるように配置される。段差部３７は、装着部３５と干渉防止部３６との間に形成されている。【選択図】図４
2007120900.tif 000002
【特許請求の範囲】
【請求項１】
室内ユニット側の冷媒配管が接続される閉鎖弁（６１、６２）を支持しており、室外ユニットの第１固定部及び第２固定部に掛け渡される板状の閉鎖弁サポート部材であって、
前記閉鎖弁のサービスポート（６１ａ、６２ａ）が長手方向に直交する方向に突出した状態で前記閉鎖弁が装着される装着部（３５）と、
長手方向から見た際に前記装着部に対して前記サービスポートから板厚方向に離れた位置にあり、板厚方向から見た際に前記サービスポートと重なるように配置される干渉防止部（３６）と、
前記装着部と前記干渉防止部との間に形成された段差部（３７）と、
を備えた閉鎖弁サポート部材（３０）。
【請求項２】
前記干渉防止部（３６）及び前記段差部（３７）は、前記閉鎖弁（６１、６２）の長手方向両側の部分にも連続するように形成されている、請求項１に記載の閉鎖弁サポート部材（３０）。
【請求項３】
前記装着部（３５）は、前記閉鎖弁としての液側閉鎖弁（６１）及びガス側閉鎖弁（６２）を長手方向に並べて装着する部分であり、
前記干渉防止部（３６）及び前記段差部（３７）は、板厚方向から見た際に前記液側閉鎖弁と前記ガス側閉鎖弁との長手方向間で連続するように形成されている、
請求項１又は２に記載の閉鎖弁サポート部材（３０）。
【請求項４】
板厚方向から見た際に前記閉鎖弁（６１、６２）の少なくとも一部に重なるように長手方向に延びており、板厚方向に凹んだ溝部（３８ｂ、３８ｃ）が形成されている、請求項１〜３のいずれかに記載の閉鎖弁サポート部材（３０）。
【請求項５】
略直方体箱状のケーシング（２）と、
前記ケーシングの内部を仕切るように鉛直に延びる仕切板（２８）と、
前記仕切板又は前記ケーシングの前記仕切板近傍の面に形成された第１固定部と、前記ケーシングの前記仕切板に対向する面に形成された第２固定部との間に掛け渡される、請求項１〜４のいずれかに記載の閉鎖弁サポート部材（３０）と、
前記閉鎖弁サポート部材に支持されており、室内ユニット側の冷媒配管が接続される閉鎖弁（６１、６２）と、
を備えた空気調和装置の室外ユニット（１）。
【発明の詳細な説明】
【技術分野】
【０００１】
本発明は、閉鎖弁サポート部材及びそれを備えた空気調和装置の室外ユニット、特に、室内ユニット側の冷媒配管が接続される閉鎖弁を支持しており、室外ユニットの第１固定部及び第２固定部に掛け渡される板状の閉鎖弁サポート部材及びそれを備えた空気調和装置の室外ユニットに関する。
【背景技術】
【０００２】
従来の空気調和装置の室外ユニットとして、略直方体箱状のケーシングの内部が鉛直方向に延びる仕切板により送風機室と機械室とに分割された構造を有するものがある。この送風機室には、主として、室外熱交換器と室外ファンとが配置されている。また、機械室には、主として、圧縮機が配置されている。また、室外ユニットには、室内ユニット側の冷媒配管が接続される液側閉鎖弁及びガス側閉鎖弁が設けられている。そして、このような室外ユニットとして、室外ユニットのケーシング内に、ケーシングの前板又は仕切板とケーシングの側板との間に掛け渡されるように板状の閉鎖弁サポート部材を設け、この閉鎖弁サポート部材に液側閉鎖弁及びガス側閉鎖弁を支持することで、これらの閉鎖弁を機械室内に配置した構造を有するものがある（特許文献１参照）。
【特許文献１】特開平３−３６４４３号公報
【発明の開示】
【発明が解決しようとする課題】
【０００３】
このような閉鎖弁サポート部材では、閉鎖弁の現地作業（例えば、サービスポートの開閉作業等）の際に閉鎖弁サポート部材に曲げ荷重が作用して変形するおそれがあることから、強度確保のために板幅を大きくするようにしている。しかし、このことにより、閉鎖弁サポート部材と閉鎖弁のサービスポートとの干渉が生じて閉鎖弁の操作性が損なわれるという問題が生じている。
【０００４】
本発明の課題は、室内ユニット側の冷媒配管が接続される閉鎖弁を支持しており、室外ユニットの第１固定部及び第２固定部に掛け渡される板状の閉鎖弁サポート部材において、閉鎖弁のサービスポートの操作性を確保するとともに強度を向上させることにある。
【課題を解決するための手段】
【０００５】
第１の発明にかかる閉鎖弁サポート部材は、室内ユニット側の冷媒配管が接続される閉鎖弁を支持しており、室外ユニットの第１固定部及び第２固定部に掛け渡される板状の閉鎖弁サポート部材であって、装着部と、干渉防止部と、段差部とを備えている。装着部は、閉鎖弁のサービスポートが長手方向に直交する方向に突出した状態で閉鎖弁が装着される。干渉防止部は、長手方向から見た際に装着部に対してサービスポートから板厚方向に離れた位置にあり、板厚方向から見た際にサービスポートと重なるように配置される。段差部は、装着部と干渉防止部との間に形成されている。
【０００６】
この閉鎖弁サポート部材では、干渉防止部と、装着部と干渉防止部との間をつなぐ段差部とが形成されているため、閉鎖弁のサービスポートとの干渉を防ぐことができるとともに、断面係数を大きくすることができる。これにより、閉鎖弁のサービスポートの操作性を確保するとともに強度を向上させることができる。
【０００７】
第２の発明にかかる閉鎖弁サポート部材は、第１の発明にかかる閉鎖弁サポート部材において、干渉防止部及び段差部は、閉鎖弁の長手方向両側の部分にも連続するように形成されている。
この閉鎖弁サポート部材では、干渉防止部及び段差部が閉鎖弁の長手方向両側の部分にも連続するように形成されているため、閉鎖弁のサービスポートの操作性及び強度をさらに向上させることができる。
【０００８】
第３の発明にかかる閉鎖弁サポート部材は、第１又は第２の発明にかかる閉鎖弁サポート部材において、装着部は、閉鎖弁としての液側閉鎖弁及びガス側閉鎖弁を長手方向に並べて装着する部分である。干渉防止部及び段差部は、板厚方向から見た際に液側閉鎖弁とガス側閉鎖弁との長手方向間で連続するように形成されている。
この閉鎖弁サポート部材では、干渉防止部及び段差部が板厚方向から見た際に液側閉鎖弁とガス側閉鎖弁との長手方向間で連続するように形成されているため、強度がさらに向上している。
【０００９】
第４の発明にかかる閉鎖弁サポート部材は、第１〜第３の発明のいずれかにかかる閉鎖弁サポート部材において、板厚方向から見た際に閉鎖弁の少なくとも一部に重なるように長手方向に延びており、板厚方向に凹んだ溝部が形成されている。
この閉鎖弁サポート部材では、板厚方向から見た際に閉鎖弁の少なくとも一部に重なるように長手方向に延びる溝部が形成されているため、強度をさらに向上させることができる。
【００１０】
第５の発明にかかる空気調和装置の室外ユニットは、略直方体箱状のケーシングと、ケーシングの内部を仕切るように鉛直に延びる仕切板と、第１〜第５の発明のいずれかにかかる閉鎖弁サポート部材と、室内ユニット側の冷媒配管が接続される閉鎖弁とを備えている。閉鎖弁サポート部材は、仕切板又はケーシングの仕切板近傍の面に形成された第１固定部と、ケーシングの仕切板に対向する面に形成された第２固定部との間に掛け渡される。閉鎖弁は、閉鎖弁サポート部材に支持されている。
この空気調和装置の室外ユニットでは、第１〜第５の発明のいずれかにかかる閉鎖弁サポート部材を備えているため、閉鎖弁のサービスポートの操作性を確保するとともに強度を向上させることができる。
【発明の効果】
【００１１】
以上の説明に述べたように、本発明によれば、以下の効果が得られる。
第１の発明では、閉鎖弁のサービスポートの操作性を確保するとともに強度を向上させることができる。
第２の発明では、閉鎖弁のサービスポートの操作性及び強度がさらに向上している。
第３の発明では強度をさらに向上させることができる。
【００１２】
第４の発明では、強度をさらに向上させることができる。
第５の発明では、閉鎖弁のサービスポートの操作性を確保するとともに強度を向上させることができる。
【発明を実施するための最良の形態】
【００１３】
以下、図面に基づいて、本発明にかかる閉鎖弁サポート部材及びそれを備えた空気調和装置の室外ユニットの実施形態について説明する。
（１）室外ユニットの全体構成
図１は、本発明にかかる閉鎖弁サポート部材の一実施形態が採用された室外ユニット１の平面図（天板２２と圧縮機５１、室外熱交換器５２及び閉鎖弁６１、６２以外の冷媒回路構成部品５とを取り除いて図示）である。また、図２は、室外ユニット１の正面図（左右前板２３、２４と圧縮機５１、室外熱交換器５２及び閉鎖弁６１、６２以外の冷媒回路構成部品５とを取り除いて図示）である。
【００１４】
この室外ユニット１は、室外に設置されており、略直方体箱状のユニットケーシング２の内部が鉛直に延びる仕切板２８により送風機室Ｓ１と機械室Ｓ２とに分割されたトランク型の構造と呼ばれるものである。この室外ユニット１は、空調室内に配置される室内ユニット（図示せず）に冷媒配管（図示せず）を介して接続されている。室外ユニット１は、主として、略直方体箱状のユニットケーシング２と、室外ファン４と、圧縮機５１や室外熱交換器５２等の機器、液側閉鎖弁６１やガス側閉鎖弁６２等の弁及び配管等の部材を含み冷媒回路を構成する冷媒回路構成部品５とを備えている。尚、以下の説明において、「上」、「下」、「左」、「右」、「前」、「後」、「正面」、「背面」は、特にことわりのない限り、図２に示される室外ユニット１を正面側から見た場合の方向を意味している。
【００１５】
（２）ユニットケーシングの構成
ユニットケーシング２は、主として、底板２１と、天板２２と、左前板２３と、右前板２４と、右側板２５とを備えている。
底板２１は、ユニットケーシング２の底面部分を構成する横長の略長方形状の金属製の板状部材である。底板２１の周縁部は、上向きに折り曲げられている。底板２１の外面には、現地設置面に固定される２つの固定脚２６が設けられている。固定脚２６は、ユニットケーシング２の正面視において略Ｕ字形状を有し、ユニットケーシング２の前側から後側に向かって延びる金属製の板状部材である。
【００１６】
天板２２は、室外ユニット１の天面部分を構成する横長の略長方形状の金属製の板状部材である。
左前板２３は、主として、ユニットケーシング２の左前面部分及び左側面部分を構成する金属製の板状部材であり、その下部が底板２１にネジ等により固定されている。左前板２３には、室外ファン４によってユニットケーシング２内に吸入される空気の吸入口２３ａが形成されている。また、左前板２３には、室外ファン４によってユニットケーシング２の背面側及び左側面側から内部に取り込まれた空気を外部に吹き出すための吹出口２３ｂが設けられている。吹出口２３ｂは、上下２つ形成されており、それぞれにファングリル２７が設けられている。
【００１７】
右前板２４は、主として、ユニットケーシング２の右前面部分及び右側面の前部を構成する金属製の板状部材であり、その下部が底板２１にネジ等により固定されている。また、右前板２４は、その左端部が左前板２３の右端部にネジ等により固定されている。
右側板２５は、主として、ユニットケーシング２の右側面の後部及び右背面部分を構成する金属製の板状部材であり、その下部が底板２１にネジ等により固定されている。そして、左前板２３の後端部と右側板２５の背面側端部と左右方向間には、室外ファン４によってユニットケーシング２内に吸入される空気の吸入口２３ｃが形成されている。
【００１８】
このようなユニットケーシング２内には、仕切板２８と管板２９とが設けられている。仕切板２８は、底板２１上に配置される鉛直に延びる金属製の板状部材であり、ユニットケーシング２の内部を左右２つの空間に仕切るように配置されている。仕切板２８は、本実施形態において、ユニットケーシング２の平面視において、送風機室Ｓ１側に突出するように屈曲した形状を有している。管板２９は、ユニットケーシング２の左側面から背面に沿うように配置された略Ｌ字形状の室外熱交換器５２の右端面に対向するように設けられた金属製の板状部材であり、その下部が底板２１にネジ等により固定されている。そして、管板２９のユニットケーシング前面側の端部と仕切板２８のユニットケーシング背面側の端部とは、互いにネジ等により固定されている。また、左前板２３の右端部は、仕切板２８の前端部にネジ等により固定されている。右側板２５の背面側の端部は、管板２９のユニットケーシング背面側の端部にネジ等により固定されている。
【００１９】
このように、ユニットケーシング２は、その内部が仕切板２８により送風機室Ｓ１と機械室Ｓ２とに分割されている。より具体的には、送風機室Ｓ１は、底板２１と、天板２２と、左前板２３と、仕切板２８とによって囲まれた空間であり、主として、室外ファン４や室外熱交換器５２が配置されている。機械室Ｓ２は、底板２１と、天板２２と、右前板２４と、右側板２５と、仕切板２８とによって囲まれた空間であり、主として、室外熱交換器５２以外の冷媒回路構成部品５とが配置されている。そして、ユニットケーシング２では、右前板２４を取り外すことによって、機械室Ｓ２の内部が見えるようになっている。すなわち、右前板２４は、室外ユニット１の機械室Ｓ２内に収容された冷媒回路構成部品５のメンテナンス等の現地作業を行う際に取り外されることになる。
【００２０】
（３）室外ファンの構成
室外ファン４は、複数の翼を有するプロペラファンであり、送風機室Ｓ１内の室外熱交換器５２の前側に配置されている。本実施形態において、室外ファン４は、吹出口２３ｂに対向するように、送風機室Ｓ１内に上下２つ配置されている。これらの室外ファン４は、それぞれ、室外ファン用電動機４ａによって回転駆動されるように構成されている。室外ファン４を駆動すると、ユニットケーシング２の背面及び左側面の吸入口２３ａ、２３ｃを通じて、内部に空気が取り込まれて、室外熱交換器５２を通過した後、ユニットケーシング２の前面の吹出口２３ｂからユニットケーシング２の外部へ空気が吹き出されるようになっている。
【００２１】
（４）冷媒回路構成部品の構成
圧縮機５１は、圧縮機用電動機をハウジング内に内蔵する密閉型圧縮機であり、機械室Ｓ２内に配置されている。圧縮機５１は、本実施形態において、ユニットケーシング２の全高の１／３〜１／２程度の高さの縦型円筒形状を有し、その下部が底板２１に固定されている。また、圧縮機５１は、ユニットケーシング２の平面視において、機械室Ｓ２の前後方向中央付近に、かつ、機械室Ｓ２の仕切板２８付近に配置されている。
【００２２】
室外熱交換器５２は、送風機室Ｓ１内に配置されており、室外ファン４によってユニットケーシング２内に取り込まれた空気との間で熱交換を行う。室外熱交換器５２は、ユニットケーシング２の平面視において略Ｌ字形状を有し、ユニットケーシング２の左側面から背面に沿うように配置されている。
ユニットケーシング２内には、室内ユニット側の冷媒配管が接続される液側閉鎖弁６１及びガス側閉鎖弁６２が配置されている。より具体的には、液側閉鎖弁６１及びガス側閉鎖弁６２は、機械室Ｓ２の前部の右前板２４に対向する位置に配置されている。本実施形態において、液側閉鎖弁６１及びガス側閉鎖弁６２は、左前板２３の右端部と右側板２５の前端部との間に掛け渡されるように設けられた板状の閉鎖弁サポート部材３０に支持されている。閉鎖弁サポート部材３０は、機械室Ｓ２内において、圧縮機５１の上端付近の高さ位置に配置されている。
【００２３】
次に、閉鎖弁６１、６２と閉鎖弁サポート部材３０の構成について、図３〜図６を用いて、詳細に説明する。ここで、図３は、液側閉鎖弁６１及びガス側閉鎖弁６２を示す図である。図４は、閉鎖弁サポート部材３０を示す斜視図である。図５は、図４をＭ方向から見た矢視図である。図６は、図５のＮ−Ｎ断面図である。
液側閉鎖弁６１は、冷媒の封入や真空引き等を行うためのサービスポート６１ａを有する弁である。本実施形態において、液側閉鎖弁６１は、図３に示されるように、機械室Ｓ２内に配置された状態において、上方、前方、下方及び後方に延びる略十字形状の内部流路が形成されたハウジング６３を有している。ハウジング６３の上端にはサービスポート６１ａが形成されており、ハウジング６３の下端には室内ユニット側の冷媒配管に接続される室内側接続ポート６１ｂが形成されており、ハウジングの後端には室外ユニット側の冷媒配管に接続される室外側接続ポート６１ｃが形成されており、ハウジングの前端には操作ポート６１ｄが形成されている。また、ハウジング６３の室外側接続ポート６１ｃ付近には、機械室Ｓ２内に配置された状態において左方及び右方に向かって突出する部分であり、閉鎖弁サポート部材３０に固定される鍔部６８が形成されている。そして、操作ポート６１ｄ内には、室内側接続ポート６１ｂと室外側接続ポート６１ｃとの間を開閉する弁体６４が螺合されている。また、サービスポート６１ａの先端には、フレアナット６５が螺合されており、通常は密封されている。室内側接続ポート６１ｂの先端と室内側の冷媒配管（図３では、２点鎖線により図示）とは、フレアナット６６を介して接続されている。室外側接続ポート６１ｃの先端と室外ユニット側の冷媒配管（図３では、２点鎖線により図示）とは、ロウ付け等により接続されている。操作ポート６１ｄの先端には、フレアナット６７が螺合されており、弁体６４の開閉操作を行う際に開放できるようになっている。
【００２４】
ガス側閉鎖弁６２は、液側閉鎖弁６１と同様、サービスポート６２ａを有する弁である。また、ガス側閉鎖弁６２は、液側閉鎖弁６１と同様、図３に示されるように、機械室Ｓ２内に配置された状態において、上方、前方、下方及び後方に延びる略十字形状の内部流路が形成されたハウジング６３を有しており、ハウジング６３の上端にはサービスポート６２ａが形成されており、ハウジング６３の下端には室内ユニット側の冷媒配管に接続される室内側接続ポート６２ｂが形成されており、ハウジングの後端には室外ユニット側の冷媒配管に接続される室外側接続ポート６２ｃが形成されており、ハウジングの前端には操作ポート６２ｄが形成されている。また、ハウジング６３の室外側接続ポート６２ｃ付近には、液側閉鎖弁６１と同様、機械室Ｓ２内に配置された状態において左方及び右方に向かって突出する部分であり、閉鎖弁サポート部材３０に固定される鍔部６８が形成されている。そして、操作ポート６２ｄ内には、液側閉鎖弁６１と同様、室内側接続ポート６２ｂと室外側接続ポート６２ｃとの間を開閉する弁体６４が螺合されている。また、サービスポート６２ａの先端には、液側閉鎖弁６１と同様、フレアナット６５が螺合されており、通常は密封されている。室内側接続ポート６２ｂの先端と室内側の冷媒配管とは、液側閉鎖弁６１と同様、フレアナット６６を介して接続されている。室外側接続ポート６２ｃの先端と室外ユニット側の冷媒配管とは、液側閉鎖弁６１と同様、ロウ付け等により接続されている。操作ポート６２ｄの先端には、液側閉鎖弁６１と同様、フレアナット６７が螺合されており、弁体６４の開閉操作を行う際に開放できるようになっている。
【００２５】
閉鎖弁サポート部材３０は室外ユニット１の第１固定部としての左前板２３の右端部と、室外ユニット１の第２固定部としての右側板２５の前端部との間に掛け渡されるように、機械室Ｓ２内に設けられた細長い板状の部材であり、主として、第１本体部３１と、第２本体部３２と、第１被固定部３３と、第２被固定部３４とを有する一体の金属製の部材である。尚、以下の説明において、「長手方向」とは、室外ユニット１を正面側から見た場合の閉鎖弁サポート部材３０の左右方向を意味し、「板厚方向」とは、室外ユニット１を正面側から見た場合の閉鎖弁サポート部材３０の前後方向を意味し、「板幅方向」とは、室外ユニット１を正面側から見た場合の閉鎖弁サポート部材３０の上下方向を意味している。
【００２６】
第１本体部３１は、閉鎖弁サポート部材３０が機械室Ｓ２内に配置された状態において、左前板２３の右端部からユニットケーシング２の右側面（すなわち、右前板２４の側面部分）に向かってユニットケーシング２の前面（すなわち、右前板２４の前面部分）にほぼ平行に延び、続いて、ユニットケーシング２の右側面（すなわち、右前板２４の側面部分）に向かってユニットケーシング２の前面（すなわち、右前板２４の前面部分）から遠ざかる方向に傾斜しながら延び、続いて、ユニットケーシング２の右側面（すなわち、右前板２４の側面部分）に向かってユニットケーシング２の前面（すなわち、右前板２４の前面部分）にほぼ平行に延びる部分である。第２本体部３２は、閉鎖弁サポート部材３０が機械室Ｓ２内に配置された状態において、第１本体部３１の長手方向右端から右側板２５の前端部に向かってユニットケーシング２の前面（すなわち、右前板２４の前面部分）から遠ざかる方向に傾斜しながら延びる部分である。第１被固定部３３は、閉鎖弁サポート部材３０が機械室Ｓ２内に配置された状態において、第１本体部３１の上部の長手方向左端から左方に延びる部分であり、仕切板２８の前端部とともに左前板２３の右端部にネジ等により固定されている。尚、第１被固定部３３は、左前板２３の右端部ではなく、仕切板２８の前端部に固定されていてもよい。第２被固定部３４は、閉鎖弁サポート部材３０が機械室Ｓ２内に配置された状態において、第２本体部３２の長手方向右端から一旦後方に延びた後に長手方向左方に延びる部分であり、右側板２５の前端部にネジ等により固定されている。
【００２７】
また、第２本体部３２は、主として、装着部３５と、干渉防止部３６と、段差部３７とを有している。
装着部３５は、液側閉鎖弁６１及びガス側閉鎖弁６２が装着される部分である。装着部３５は、液側閉鎖弁６１及びガス側閉鎖弁６２を長手方向に並べて装着することが可能であり、本実施形態において、閉鎖弁サポート部材３０が機械室Ｓ２内に配置された状態において、ユニットケーシング２の右側面側（すなわち、右前板２４の側面部分側）にガス側閉鎖弁６２が装着され、ガス側閉鎖弁６２の長手方向左側に液側閉鎖弁６１が装着されるようになっている。より具体的には、装着部３５には、閉鎖弁サポート部材３０が機械室Ｓ２内に配置された状態において、各閉鎖弁６１、６２のサービスポート６１ａ、６２ａが長手方向に直交する方向（ここでは、板幅方向上側）にはみ出るように突出した状態（すなわち、装着部３５の上端から突出した状態）で閉鎖弁６１、６２が装着されるようになっている。すなわち、装着部３５には、閉鎖弁サポート部材３０が機械室Ｓ２内に配置された状態において、サービスポート６１ａ、６２ａが上向きの状態で、かつ、各閉鎖弁６１、６２の室外側接続ポート６１ｃ、６２ｃが板厚方向後側に貫通した状態で閉鎖弁６１、６２が装着されている。装着部３５には、各閉鎖弁６１、６２の室外側接続ポート６１ｃ、６２ｃを板厚方向に貫通させるための切り欠き部３５ａ、３５ｂが形成されている。切り欠き部３５ａ、３５ｂは、閉鎖弁サポート部材３０が機械室Ｓ２内に配置された状態において、装着部３５の下端から上方に向かって略Ｕ字形状に切り欠くことにより形成された部分である。また、装着部３５には、各閉鎖弁６１、６２の鍔部６８をネジ止め固定するためのネジ孔３５ｃ、３５ｄが、それぞれ、切り欠き部３５ａ、３５ｂを長手方向両側から挟む位置に形成されている。これにより、閉鎖弁サポート部材３０が機械室Ｓ２内に配置された状態において、各閉鎖弁６１、６２の室内側接続ポート６１ｂ、６２ｂがサービスポート６１ａ、６２ａの突出方向とは反対方向（ここでは、板幅方向下側）にはみ出るように突出した状態（すなわち、装着部３５の下端から突出した状態）になり、操作ポート６１ｄ、６２が板厚方向前側に突出した状態になっている。
【００２８】
干渉防止部３６は、閉鎖弁サポート部材３０が機械室Ｓ２内に配置された状態において、長手方向（すなわち、ユニットケーシング２の側方）から見た際に装着部３５に対して、各閉鎖弁６１、６２のサービスポート６１ａ、６２ａから板厚方向に離れた位置（すなわち、ユニットケーシング２の後側の位置）にあり、板厚方向（ユニットケーシング２の前後方向）から見た際にサービスポート６１ａ、６２ａと重なるように配置される部分である。干渉防止部３６は、長手方向（すなわち、ユニットケーシング２の側方）から見た際に、装着部３５とほぼ平行である。段差部３７は、装着部３５と干渉防止部３６との間に形成される部分である。より具体的には、段差部３７は、閉鎖弁サポート部材３０が機械室Ｓ２内に配置された状態において、装着部３５の上端から干渉防止部３６の下端に向かって後方に傾斜しながら延びる部分である。また、干渉防止部３６及び段差部３７は、各閉鎖弁６１、６２の長手方向両側の部分（すなわち、サービスポート６１ａ、６２ａの長手方向両側の部分）にも連続するように、さらには、板厚方向から見た際に液側閉鎖弁６１とガス側閉鎖弁６２との長手方向間で連続するように形成されている。尚、干渉防止部３６及び段差部３７は、第２本体部３２に絞り加工を施すことにより形成されている。
【００２９】
また、閉鎖弁サポート部材３０には、閉鎖弁サポート部材３０が機械室Ｓ２内に配置された状態において、長手方向（すなわち、左右方向）に延びる３本の溝部３８ａ、３８ｂ、３８ｃが形成されている。各溝部３８ａ〜３８ｃは、板厚方向に凹んだ形状を有している。より具体的には、各溝部３８ａ〜３８ｃは、閉鎖弁サポート部材３０が機械室Ｓ２内に配置された状態において、板厚方向後側に向かって突出した、すなわち、サービスポート６１ａ、６２ａから遠ざかる方向に突出した形状を有している。溝部３８ａは、閉鎖弁サポート部材３０が機械室Ｓ２内に配置された状態において、第１本体部３１の下部の長手方向全体にわたって形成されている。溝部３８ｂは、閉鎖弁サポート部材３０が機械室Ｓ２内に配置された状態において、第１本体部３１の上下方向中央部の第１本体部３１の長手方向全体と、第２本体部３２（具体的には、装着部３５）の左端から切り欠き部３５ａの上側を横切って切り欠き部３５ｂの左側までの部分とにわたって形成されている。すなわち、溝部３８ｂは、板厚方向から見た際に液側閉鎖弁６１の少なくとも一部に重なるように長手方向に延びている。溝部３８ｃは、閉鎖弁サポート部材３０が機械室Ｓ２内に配置された状態において、第１本体部３１の上部の第１本体部３１の長手方向全体と、第２本体部３２（具体的には、干渉防止部３６）の左端から切り欠き部３５ａを横切って切り欠き部３５ｂの右端までの部分とにわたって形成されている。すなわち、溝部３８ｃは、板厚方向から見た際に液側閉鎖弁６１の全体とガス側閉鎖弁６２の少なくとも一部に重なるように長手方向に延びている。
さらに、第１被固定部３３、第１本体部３１及び第２本体部３２の上端は、ヘミング加工等によって下方に向かって折り返されている。また、第１本体部３１及び第２本体部３２の下端は、ヘミング加工等によって後方に向かって折り曲げられている。
【００３０】
（５）本実施形態の閉鎖弁サポート部材及びそれを備えた室外ユニットの特徴
本実施形態の閉鎖弁サポート部材３０及びそれを備えた室外ユニット１には、以下のような特徴がある。
【００３１】
（Ａ）
本実施形態の閉鎖弁サポート部材３０及びそれを備えた室外ユニット１では、干渉防止部３６と、装着部３５と干渉防止部３６との間をつなぐ段差部３７とが形成されているため、各閉鎖弁６１、６２のサービスポート６１ａ、６２ａとの干渉を防ぐことができるとともに、断面係数を大きくすることができる。これにより、各閉鎖弁６１、６２のサービスポート６１ａ、６２ａ（例えば、フレアナット６５を回す操作等）の操作性を確保するとともに強度を向上させることができる。
【００３２】
しかも、室外側接続ポート６１ｂ、６２ｂが、サービスポート６１ａ、６２ａの突出方向（上方向）と反対方向（下方向）に、閉鎖弁サポート部材３０の装着部３５からはみ出るように突出している（すなわち、装着部３５の下端から突出している）ため、室外側接続ポート６１ｂ、６２ｂのフレアナット６６を回す際の操作性も向上している。しかも、上述のように、干渉防止部３６及び段差部３７が形成されることで閉鎖弁サポート部材３０の強度が向上しているため、室外側接続ポート６１ｂ、６２ｂのフレアナット６６を回す際に変形が生じることもない。
【００３３】
（Ｂ）
本実施形態の閉鎖弁サポート部材３０では、干渉防止部３６及び段差部３７が各閉鎖弁６１、６２（具体的には、サービスポート６１ａ、６２ａ）の長手方向両側の部分にも連続するように形成されているため、各閉鎖弁６１、６２のサービスポート６１ａ、６２ａの操作性及び強度をさらに向上させることができる。
【００３４】
（Ｃ）
本実施形態の閉鎖弁サポート部材３０では、干渉防止部３６及び段差部３７が板厚方向から見た際に液側閉鎖弁６１とガス側閉鎖弁６２との長手方向間で連続するように形成されているため、強度がさらに向上している。
【００３５】
（Ｄ）
本実施形態の閉鎖弁サポート部材３０では、板厚方向から見た際に閉鎖弁６１、６２の少なくとも一部に重なるように長手方向に延びる溝部３８ｂ、３８ｃが形成されているため、強度をさらに向上させることができる。
しかも、溝部３８ｂ、３８ｃは、閉鎖弁サポート部材３０が機械室Ｓ２内に配置された状態において、板厚方向後側に向かって突出した、すなわち、サービスポート６１ａ、６２ａから遠ざかる方向に突出した形状を有しているため、サービスポート６１ａ、６２ａの操作性を損なうこともない。
【産業上の利用可能性】
【００３６】
本発明を利用すれば、室内ユニット側の冷媒配管が接続される閉鎖弁を支持しており、室外ユニットの第１固定部及び第２固定部に掛け渡される板状の閉鎖弁サポート部材において、閉鎖弁のサービスポートの操作性を確保するとともに強度を向上させることができる。
【図面の簡単な説明】
【００３７】
【図１】本発明にかかる閉鎖弁サポート部材の一実施形態が採用された室外ユニットの平面図（天板と圧縮機、室外熱交換器及び閉鎖弁以外の冷媒回路構成部品とを取り除いて図示）である。
【図２】室外ユニットの正面図（左右前板と圧縮機、室外熱交換器及び閉鎖弁以外の冷媒回路構成部品とを取り除いて図示）である。
【図３】液側閉鎖弁及びガス側閉鎖弁を示す図である。
【図４】閉鎖弁サポート部材を示す斜視図である。
【図５】図４をＭ方向から見た矢視図である。
【図６】図５のＮ−Ｎ断面図である。
【符号の説明】
【００３８】
１  室外ユニット
２  ユニットケーシング（ケーシング）
２８  仕切板
３０  閉鎖弁サポート部材
３５  装着部
３６  干渉防止部
３７  段差部
３８ｂ、３８ｃ  溝部
６１  液側閉鎖弁
６２  ガス側閉鎖弁
６１ａ、６２ａ  サービスポート
【図１】
2007120900.tif 000003
【図２】
2007120900.tif 000004
【図３】
2007120900.tif 000005
【図４】
2007120900.tif 000006
【図５】
2007120900.tif 000007
【図６】
2007120900.tif 000008
【手続補正書】
【提出日】平成19年1月22日(2007.1.22)
【手続補正１】
【補正対象書類名】特許請求の範囲
【補正対象項目名】全文
【補正方法】変更
【補正の内容】
【特許請求の範囲】
【請求項１】
室内ユニット側の冷媒配管が接続される閉鎖弁（６１、６２）を支持しており、室外ユニットの第１固定部及び第２固定部に掛け渡される板状の閉鎖弁サポート部材であって、
冷媒の封入や真空引き等に使用される前記閉鎖弁のサービスポート（６１ａ、６２ａ）が掛け渡し方向に対応する長手方向に直交する方向に突出した状態で、かつ、前記室内ユニット側の冷媒配管に接続される室内側接続ポート（６１ｂ、６２ｂ）が前記サービスポートとは反対側に突出した状態で前記閉鎖弁が装着される装着部（３５）と、
長手方向から見た際に前記装着部に対して前記サービスポートから板厚方向に離れた位置にあり、板厚方向から見た際に前記サービスポートと重なるように配置される干渉防止部（３６）と、
前記装着部と前記干渉防止部との間に形成された段差部（３７）と、
を備えた閉鎖弁サポート部材（３０）。
【請求項２】
前記干渉防止部（３６）及び前記段差部（３７）は、前記閉鎖弁（６１、６２）の長手方向両側の部分にも連続するように形成されている、請求項１に記載の閉鎖弁サポート部材（３０）。
【請求項３】
前記装着部（３５）は、前記閉鎖弁としての液側閉鎖弁（６１）及びガス側閉鎖弁（６２）を長手方向に並べて装着する部分であり、
前記干渉防止部（３６）及び前記段差部（３７）は、板厚方向から見た際に前記液側閉鎖弁と前記ガス側閉鎖弁との長手方向間で連続するように形成されている、
請求項１又は２に記載の閉鎖弁サポート部材（３０）。
【請求項４】
板厚方向から見た際に前記閉鎖弁（６１、６２）の少なくとも一部に重なるように長手方向に延びており、板厚方向に凹んだ溝部（３８ｂ、３８ｃ）が形成されている、請求項１〜３のいずれかに記載の閉鎖弁サポート部材（３０）。
【請求項５】
略直方体箱状のケーシング（２）と、
前記ケーシングの内部を仕切るように鉛直に延びる仕切板（２８）と、
前記仕切板又は前記ケーシングの前記仕切板近傍の面に形成された第１固定部と、前記ケーシングの前記仕切板に対向する面に形成された第２固定部との間に掛け渡される、請求項１〜４のいずれかに記載の閉鎖弁サポート部材（３０）と、
前記閉鎖弁サポート部材に支持されており、室内ユニット側の冷媒配管が接続される閉鎖弁（６１、６２）と、
を備えた空気調和装置の室外ユニット（１）。
【手続補正２】
【補正対象書類名】明細書
【補正対象項目名】全文
【補正方法】変更
【補正の内容】
【発明の詳細な説明】
【技術分野】
【０００１】
本発明は、閉鎖弁サポート部材及びそれを備えた空気調和装置の室外ユニット、特に、室内ユニット側の冷媒配管が接続される閉鎖弁を支持しており、室外ユニットの第１固定部及び第２固定部に掛け渡される板状の閉鎖弁サポート部材及びそれを備えた空気調和装置の室外ユニットに関する。
【背景技術】
【０００２】
従来の空気調和装置の室外ユニットとして、略直方体箱状のケーシングの内部が鉛直方向に延びる仕切板により送風機室と機械室とに分割された構造を有するものがある。この送風機室には、主として、室外熱交換器と室外ファンとが配置されている。また、機械室には、主として、圧縮機が配置されている。また、室外ユニットには、室内ユニット側の冷媒配管が接続される液側閉鎖弁及びガス側閉鎖弁が設けられている。そして、このような室外ユニットとして、室外ユニットのケーシング内に、ケーシングの前板又は仕切板とケーシングの側板との間に掛け渡されるように板状の閉鎖弁サポート部材を設け、この閉鎖弁サポート部材に液側閉鎖弁及びガス側閉鎖弁を支持することで、これらの閉鎖弁を機械室内に配置した構造を有するものがある（特許文献１参照）。
【特許文献１】特開平３−３６４４３号公報
【発明の開示】
【発明が解決しようとする課題】
【０００３】
このような閉鎖弁サポート部材では、閉鎖弁の現地作業（例えば、サービスポートの開閉作業等）の際に閉鎖弁サポート部材に曲げ荷重が作用して変形するおそれがあることから、強度確保のために板幅を大きくするようにしている。しかし、このことにより、閉鎖弁サポート部材と閉鎖弁のサービスポートとの干渉が生じて閉鎖弁の操作性が損なわれるという問題が生じている。
【０００４】
本発明の課題は、室内ユニット側の冷媒配管が接続される閉鎖弁を支持しており、室外ユニットの第１固定部及び第２固定部に掛け渡される板状の閉鎖弁サポート部材において、閉鎖弁のサービスポートの操作性を確保するとともに強度を向上させることにある。
【課題を解決するための手段】
【０００５】
第１の発明にかかる閉鎖弁サポート部材は、室内ユニット側の冷媒配管が接続される閉鎖弁を支持しており、室外ユニットの第１固定部及び第２固定部に掛け渡される板状の閉鎖弁サポート部材であって、装着部と、干渉防止部と、段差部とを備えている。装着部は、冷媒の封入や真空引き等に使用される閉鎖弁のサービスポートが掛け渡し方向に対応する長手方向に直交する方向に突出した状態で、かつ、室内ユニット側の冷媒配管に接続される室内側接続ポートがサービスポートとは反対側に突出した状態で閉鎖弁が装着される。干渉防止部は、長手方向から見た際に装着部に対してサービスポートから板厚方向に離れた位置にあり、板厚方向から見た際にサービスポートと重なるように配置される。段差部は、装着部と干渉防止部との間に形成されている。
【０００６】
この閉鎖弁サポート部材では、干渉防止部と、装着部と干渉防止部との間をつなぐ段差部とが形成されているため、閉鎖弁のサービスポートとの干渉を防ぐことができるとともに、断面係数を大きくすることができる。これにより、閉鎖弁のサービスポートの操作性を確保するとともに強度を向上させることができる。
【０００７】
第２の発明にかかる閉鎖弁サポート部材は、第１の発明にかかる閉鎖弁サポート部材において、干渉防止部及び段差部は、閉鎖弁の長手方向両側の部分にも連続するように形成されている。
【０００８】
この閉鎖弁サポート部材では、干渉防止部及び段差部が閉鎖弁の長手方向両側の部分にも連続するように形成されているため、閉鎖弁のサービスポートの操作性及び強度をさらに向上させることができる。
【０００９】
第３の発明にかかる閉鎖弁サポート部材は、第１又は第２の発明にかかる閉鎖弁サポート部材において、装着部は、閉鎖弁としての液側閉鎖弁及びガス側閉鎖弁を長手方向に並べて装着する部分である。干渉防止部及び段差部は、板厚方向から見た際に液側閉鎖弁とガス側閉鎖弁との長手方向間で連続するように形成されている。
【００１０】
この閉鎖弁サポート部材では、干渉防止部及び段差部が板厚方向から見た際に液側閉鎖弁とガス側閉鎖弁との長手方向間で連続するように形成されているため、強度がさらに向上している。
【００１１】
第４の発明にかかる閉鎖弁サポート部材は、第１〜第３の発明のいずれかにかかる閉鎖弁サポート部材において、板厚方向から見た際に閉鎖弁の少なくとも一部に重なるように長手方向に延びており、板厚方向に凹んだ溝部が形成されている。
【００１２】
この閉鎖弁サポート部材では、板厚方向から見た際に閉鎖弁の少なくとも一部に重なるように長手方向に延びる溝部が形成されているため、強度をさらに向上させることができる。
【００１３】
第５の発明にかかる空気調和装置の室外ユニットは、略直方体箱状のケーシングと、ケーシングの内部を仕切るように鉛直に延びる仕切板と、第１〜第５の発明のいずれかにかかる閉鎖弁サポート部材と、室内ユニット側の冷媒配管が接続される閉鎖弁とを備えている。閉鎖弁サポート部材は、仕切板又はケーシングの仕切板近傍の面に形成された第１固定部と、ケーシングの仕切板に対向する面に形成された第２固定部との間に掛け渡される。閉鎖弁は、閉鎖弁サポート部材に支持されている。
【００１４】
この空気調和装置の室外ユニットでは、第１〜第５の発明のいずれかにかかる閉鎖弁サポート部材を備えているため、閉鎖弁のサービスポートの操作性を確保するとともに強度を向上させることができる。
【発明の効果】
【００１５】
以上の説明に述べたように、本発明によれば、以下の効果が得られる。
【００１６】
第１の発明では、閉鎖弁のサービスポートの操作性を確保するとともに強度を向上させることができる。
【００１７】
第２の発明では、閉鎖弁のサービスポートの操作性及び強度がさらに向上している。
【００１８】
第３の発明では強度をさらに向上させることができる。
【００１９】
第４の発明では、強度をさらに向上させることができる。
【００２０】
第５の発明では、閉鎖弁のサービスポートの操作性を確保するとともに強度を向上させることができる。
【発明を実施するための最良の形態】
【００２１】
以下、図面に基づいて、本発明にかかる閉鎖弁サポート部材及びそれを備えた空気調和装置の室外ユニットの実施形態について説明する。
【００２２】
（１）室外ユニットの全体構成
図１は、本発明にかかる閉鎖弁サポート部材の一実施形態が採用された室外ユニット１の平面図（天板２２と圧縮機５１、室外熱交換器５２及び閉鎖弁６１、６２以外の冷媒回路構成部品５とを取り除いて図示）である。また、図２は、室外ユニット１の正面図（左右前板２３、２４と圧縮機５１、室外熱交換器５２及び閉鎖弁６１、６２以外の冷媒回路構成部品５とを取り除いて図示）である。
【００２３】
この室外ユニット１は、室外に設置されており、略直方体箱状のユニットケーシング２の内部が鉛直に延びる仕切板２８により送風機室Ｓ１と機械室Ｓ２とに分割されたトランク型の構造と呼ばれるものである。この室外ユニット１は、空調室内に配置される室内ユニット（図示せず）に冷媒配管（図示せず）を介して接続されている。室外ユニット１は、主として、略直方体箱状のユニットケーシング２と、室外ファン４と、圧縮機５１や室外熱交換器５２等の機器、液側閉鎖弁６１やガス側閉鎖弁６２等の弁及び配管等の部材を含み冷媒回路を構成する冷媒回路構成部品５とを備えている。尚、以下の説明において、「上」、「下」、「左」、「右」、「前」、「後」、「正面」、「背面」は、特にことわりのない限り、図２に示される室外ユニット１を正面側から見た場合の方向を意味している。
【００２４】
（２）ユニットケーシングの構成
ユニットケーシング２は、主として、底板２１と、天板２２と、左前板２３と、右前板２４と、右側板２５とを備えている。
【００２５】
底板２１は、ユニットケーシング２の底面部分を構成する横長の略長方形状の金属製の板状部材である。底板２１の周縁部は、上向きに折り曲げられている。底板２１の外面には、現地設置面に固定される２つの固定脚２６が設けられている。固定脚２６は、ユニットケーシング２の正面視において略Ｕ字形状を有し、ユニットケーシング２の前側から後側に向かって延びる金属製の板状部材である。
【００２６】
天板２２は、室外ユニット１の天面部分を構成する横長の略長方形状の金属製の板状部材である。
【００２７】
左前板２３は、主として、ユニットケーシング２の左前面部分及び左側面部分を構成する金属製の板状部材であり、その下部が底板２１にネジ等により固定されている。左前板２３には、室外ファン４によってユニットケーシング２内に吸入される空気の吸入口２３ａが形成されている。また、左前板２３には、室外ファン４によってユニットケーシング２の背面側及び左側面側から内部に取り込まれた空気を外部に吹き出すための吹出口２３ｂが設けられている。吹出口２３ｂは、上下２つ形成されており、それぞれにファングリル２７が設けられている。
【００２８】
右前板２４は、主として、ユニットケーシング２の右前面部分及び右側面の前部を構成する金属製の板状部材であり、その下部が底板２１にネジ等により固定されている。また、右前板２４は、その左端部が左前板２３の右端部にネジ等により固定されている。
【００２９】
右側板２５は、主として、ユニットケーシング２の右側面の後部及び右背面部分を構成する金属製の板状部材であり、その下部が底板２１にネジ等により固定されている。そして、左前板２３の後端部と右側板２５の背面側端部と左右方向間には、室外ファン４によってユニットケーシング２内に吸入される空気の吸入口２３ｃが形成されている。
【００３０】
このようなユニットケーシング２内には、仕切板２８と管板２９とが設けられている。仕切板２８は、底板２１上に配置される鉛直に延びる金属製の板状部材であり、ユニットケーシング２の内部を左右２つの空間に仕切るように配置されている。仕切板２８は、本実施形態において、ユニットケーシング２の平面視において、送風機室Ｓ１側に突出するように屈曲した形状を有している。管板２９は、ユニットケーシング２の左側面から背面に沿うように配置された略Ｌ字形状の室外熱交換器５２の右端面に対向するように設けられた金属製の板状部材であり、その下部が底板２１にネジ等により固定されている。そして、管板２９のユニットケーシング前面側の端部と仕切板２８のユニットケーシング背面側の端部とは、互いにネジ等により固定されている。また、左前板２３の右端部は、仕切板２８の前端部にネジ等により固定されている。右側板２５の背面側の端部は、管板２９のユニットケーシング背面側の端部にネジ等により固定されている。
【００３１】
このように、ユニットケーシング２は、その内部が仕切板２８により送風機室Ｓ１と機械室Ｓ２とに分割されている。より具体的には、送風機室Ｓ１は、底板２１と、天板２２と、左前板２３と、仕切板２８とによって囲まれた空間であり、主として、室外ファン４や室外熱交換器５２が配置されている。機械室Ｓ２は、底板２１と、天板２２と、右前板２４と、右側板２５と、仕切板２８とによって囲まれた空間であり、主として、室外熱交換器５２以外の冷媒回路構成部品５とが配置されている。そして、ユニットケーシング２では、右前板２４を取り外すことによって、機械室Ｓ２の内部が見えるようになっている。すなわち、右前板２４は、室外ユニット１の機械室Ｓ２内に収容された冷媒回路構成部品５のメンテナンス等の現地作業を行う際に取り外されることになる。
【００３２】
（３）室外ファンの構成
室外ファン４は、複数の翼を有するプロペラファンであり、送風機室Ｓ１内の室外熱交換器５２の前側に配置されている。本実施形態において、室外ファン４は、吹出口２３ｂに対向するように、送風機室Ｓ１内に上下２つ配置されている。これらの室外ファン４は、それぞれ、室外ファン用電動機４ａによって回転駆動されるように構成されている。室外ファン４を駆動すると、ユニットケーシング２の背面及び左側面の吸入口２３ａ、２３ｃを通じて、内部に空気が取り込まれて、室外熱交換器５２を通過した後、ユニットケーシング２の前面の吹出口２３ｂからユニットケーシング２の外部へ空気が吹き出されるようになっている。
【００３３】
（４）冷媒回路構成部品の構成
圧縮機５１は、圧縮機用電動機をハウジング内に内蔵する密閉型圧縮機であり、機械室Ｓ２内に配置されている。圧縮機５１は、本実施形態において、ユニットケーシング２の全高の１／３〜１／２程度の高さの縦型円筒形状を有し、その下部が底板２１に固定されている。また、圧縮機５１は、ユニットケーシング２の平面視において、機械室Ｓ２の前後方向中央付近に、かつ、機械室Ｓ２の仕切板２８付近に配置されている。
【００３４】
室外熱交換器５２は、送風機室Ｓ１内に配置されており、室外ファン４によってユニットケーシング２内に取り込まれた空気との間で熱交換を行う。室外熱交換器５２は、ユニットケーシング２の平面視において略Ｌ字形状を有し、ユニットケーシング２の左側面から背面に沿うように配置されている。
【００３５】
ユニットケーシング２内には、室内ユニット側の冷媒配管が接続される液側閉鎖弁６１及びガス側閉鎖弁６２が配置されている。より具体的には、液側閉鎖弁６１及びガス側閉鎖弁６２は、機械室Ｓ２の前部の右前板２４に対向する位置に配置されている。本実施形態において、液側閉鎖弁６１及びガス側閉鎖弁６２は、左前板２３の右端部と右側板２５の前端部との間に掛け渡されるように設けられた板状の閉鎖弁サポート部材３０に支持されている。閉鎖弁サポート部材３０は、機械室Ｓ２内において、圧縮機５１の上端付近の高さ位置に配置されている。
【００３６】
次に、閉鎖弁６１、６２と閉鎖弁サポート部材３０の構成について、図３〜図６を用いて、詳細に説明する。ここで、図３は、液側閉鎖弁６１及びガス側閉鎖弁６２を示す図である。図４は、閉鎖弁サポート部材３０を示す斜視図である。図５は、図４をＭ方向から見た矢視図である。図６は、図５のＮ−Ｎ断面図である。
【００３７】
液側閉鎖弁６１は、冷媒の封入や真空引き等を行うためのサービスポート６１ａを有する弁である。本実施形態において、液側閉鎖弁６１は、図３に示されるように、機械室Ｓ２内に配置された状態において、上方、前方、下方及び後方に延びる略十字形状の内部流路が形成されたハウジング６３を有している。ハウジング６３の上端にはサービスポート６１ａが形成されており、ハウジング６３の下端には室内ユニット側の冷媒配管に接続される室内側接続ポート６１ｂが形成されており、ハウジングの後端には室外ユニット側の冷媒配管に接続される室外側接続ポート６１ｃが形成されており、ハウジングの前端には操作ポート６１ｄが形成されている。また、ハウジング６３の室外側接続ポート６１ｃ付近には、機械室Ｓ２内に配置された状態において左方及び右方に向かって突出する部分であり、閉鎖弁サポート部材３０に固定される鍔部６８が形成されている。そして、操作ポート６１ｄ内には、室内側接続ポート６１ｂと室外側接続ポート６１ｃとの間を開閉する弁体６４が螺合されている。また、サービスポート６１ａの先端には、フレアナット６５が螺合されており、通常は密封されている。室内側接続ポート６１ｂの先端と室内側の冷媒配管（図３では、２点鎖線により図示）とは、フレアナット６６を介して接続されている。室外側接続ポート６１ｃの先端と室外ユニット側の冷媒配管（図３では、２点鎖線により図示）とは、ロウ付け等により接続されている。操作ポート６１ｄの先端には、フレアナット６７が螺合されており、弁体６４の開閉操作を行う際に開放できるようになっている。
【００３８】
ガス側閉鎖弁６２は、液側閉鎖弁６１と同様、サービスポート６２ａを有する弁である。また、ガス側閉鎖弁６２は、液側閉鎖弁６１と同様、図３に示されるように、機械室Ｓ２内に配置された状態において、上方、前方、下方及び後方に延びる略十字形状の内部流路が形成されたハウジング６３を有しており、ハウジング６３の上端にはサービスポート６２ａが形成されており、ハウジング６３の下端には室内ユニット側の冷媒配管に接続される室内側接続ポート６２ｂが形成されており、ハウジングの後端には室外ユニット側の冷媒配管に接続される室外側接続ポート６２ｃが形成されており、ハウジングの前端には操作ポート６２ｄが形成されている。また、ハウジング６３の室外側接続ポート６２ｃ付近には、液側閉鎖弁６１と同様、機械室Ｓ２内に配置された状態において左方及び右方に向かって突出する部分であり、閉鎖弁サポート部材３０に固定される鍔部６８が形成されている。そして、操作ポート６２ｄ内には、液側閉鎖弁６１と同様、室内側接続ポート６２ｂと室外側接続ポート６２ｃとの間を開閉する弁体６４が螺合されている。また、サービスポート６２ａの先端には、液側閉鎖弁６１と同様、フレアナット６５が螺合されており、通常は密封されている。室内側接続ポート６２ｂの先端と室内側の冷媒配管とは、液側閉鎖弁６１と同様、フレアナット６６を介して接続されている。室外側接続ポート６２ｃの先端と室外ユニット側の冷媒配管とは、液側閉鎖弁６１と同様、ロウ付け等により接続されている。操作ポート６２ｄの先端には、液側閉鎖弁６１と同様、フレアナット６７が螺合されており、弁体６４の開閉操作を行う際に開放できるようになっている。
【００３９】
閉鎖弁サポート部材３０は室外ユニット１の第１固定部としての左前板２３の右端部と、室外ユニット１の第２固定部としての右側板２５の前端部との間に掛け渡されるように、機械室Ｓ２内に設けられた細長い板状の部材であり、主として、第１本体部３１と、第２本体部３２と、第１被固定部３３と、第２被固定部３４とを有する一体の金属製の部材である。尚、以下の説明において、「長手方向」とは、室外ユニット１を正面側から見た場合の閉鎖弁サポート部材３０の左右方向を意味し、「板厚方向」とは、室外ユニット１を正面側から見た場合の閉鎖弁サポート部材３０の前後方向を意味し、「板幅方向」とは、室外ユニット１を正面側から見た場合の閉鎖弁サポート部材３０の上下方向を意味している。
【００４０】
第１本体部３１は、閉鎖弁サポート部材３０が機械室Ｓ２内に配置された状態において、左前板２３の右端部からユニットケーシング２の右側面（すなわち、右前板２４の側面部分）に向かってユニットケーシング２の前面（すなわち、右前板２４の前面部分）にほぼ平行に延び、続いて、ユニットケーシング２の右側面（すなわち、右前板２４の側面部分）に向かってユニットケーシング２の前面（すなわち、右前板２４の前面部分）から遠ざかる方向に傾斜しながら延び、続いて、ユニットケーシング２の右側面（すなわち、右前板２４の側面部分）に向かってユニットケーシング２の前面（すなわち、右前板２４の前面部分）にほぼ平行に延びる部分である。第２本体部３２は、閉鎖弁サポート部材３０が機械室Ｓ２内に配置された状態において、第１本体部３１の長手方向右端から右側板２５の前端部に向かってユニットケーシング２の前面（すなわち、右前板２４の前面部分）から遠ざかる方向に傾斜しながら延びる部分である。第１被固定部３３は、閉鎖弁サポート部材３０が機械室Ｓ２内に配置された状態において、第１本体部３１の上部の長手方向左端から左方に延びる部分であり、仕切板２８の前端部とともに左前板２３の右端部にネジ等により固定されている。尚、第１被固定部３３は、左前板２３の右端部ではなく、仕切板２８の前端部に固定されていてもよい。第２被固定部３４は、閉鎖弁サポート部材３０が機械室Ｓ２内に配置された状態において、第２本体部３２の長手方向右端から一旦後方に延びた後に長手方向左方に延びる部分であり、右側板２５の前端部にネジ等により固定されている。
【００４１】
また、第２本体部３２は、主として、装着部３５と、干渉防止部３６と、段差部３７とを有している。
【００４２】
装着部３５は、液側閉鎖弁６１及びガス側閉鎖弁６２が装着される部分である。装着部３５は、液側閉鎖弁６１及びガス側閉鎖弁６２を長手方向に並べて装着することが可能であり、本実施形態において、閉鎖弁サポート部材３０が機械室Ｓ２内に配置された状態において、ユニットケーシング２の右側面側（すなわち、右前板２４の側面部分側）にガス側閉鎖弁６２が装着され、ガス側閉鎖弁６２の長手方向左側に液側閉鎖弁６１が装着されるようになっている。より具体的には、装着部３５には、閉鎖弁サポート部材３０が機械室Ｓ２内に配置された状態において、各閉鎖弁６１、６２のサービスポート６１ａ、６２ａが長手方向に直交する方向（ここでは、板幅方向上側）にはみ出るように突出した状態（すなわち、装着部３５の上端から突出した状態）で閉鎖弁６１、６２が装着されるようになっている。すなわち、装着部３５には、閉鎖弁サポート部材３０が機械室Ｓ２内に配置された状態において、サービスポート６１ａ、６２ａが上向きの状態で、かつ、各閉鎖弁６１、６２の室外側接続ポート６１ｃ、６２ｃが板厚方向後側に貫通した状態で閉鎖弁６１、６２が装着されている。装着部３５には、各閉鎖弁６１、６２の室外側接続ポート６１ｃ、６２ｃを板厚方向に貫通させるための切り欠き部３５ａ、３５ｂが形成されている。切り欠き部３５ａ、３５ｂは、閉鎖弁サポート部材３０が機械室Ｓ２内に配置された状態において、装着部３５の下端から上方に向かって略Ｕ字形状に切り欠くことにより形成された部分である。また、装着部３５には、各閉鎖弁６１、６２の鍔部６８をネジ止め固定するためのネジ孔３５ｃ、３５ｄが、それぞれ、切り欠き部３５ａ、３５ｂを長手方向両側から挟む位置に形成されている。これにより、閉鎖弁サポート部材３０が機械室Ｓ２内に配置された状態において、各閉鎖弁６１、６２の室内側接続ポート６１ｂ、６２ｂがサービスポート６１ａ、６２ａの突出方向とは反対方向（ここでは、板幅方向下側）にはみ出るように突出した状態（すなわち、装着部３５の下端から突出した状態）になり、操作ポート６１ｄ、６２が板厚方向前側に突出した状態になっている。
【００４３】
干渉防止部３６は、閉鎖弁サポート部材３０が機械室Ｓ２内に配置された状態において、長手方向（すなわち、ユニットケーシング２の側方）から見た際に装着部３５に対して、各閉鎖弁６１、６２のサービスポート６１ａ、６２ａから板厚方向に離れた位置（すなわち、ユニットケーシング２の後側の位置）にあり、板厚方向（ユニットケーシング２の前後方向）から見た際にサービスポート６１ａ、６２ａと重なるように配置される部分である。干渉防止部３６は、長手方向（すなわち、ユニットケーシング２の側方）から見た際に、装着部３５とほぼ平行である。段差部３７は、装着部３５と干渉防止部３６との間に形成される部分である。より具体的には、段差部３７は、閉鎖弁サポート部材３０が機械室Ｓ２内に配置された状態において、装着部３５の上端から干渉防止部３６の下端に向かって後方に傾斜しながら延びる部分である。また、干渉防止部３６及び段差部３７は、各閉鎖弁６１、６２の長手方向両側の部分（すなわち、サービスポート６１ａ、６２ａの長手方向両側の部分）にも連続するように、さらには、板厚方向から見た際に液側閉鎖弁６１とガス側閉鎖弁６２との長手方向間で連続するように形成されている。尚、干渉防止部３６及び段差部３７は、第２本体部３２に絞り加工を施すことにより形成されている。
【００４４】
また、閉鎖弁サポート部材３０には、閉鎖弁サポート部材３０が機械室Ｓ２内に配置された状態において、長手方向（すなわち、左右方向）に延びる３本の溝部３８ａ、３８ｂ、３８ｃが形成されている。各溝部３８ａ〜３８ｃは、板厚方向に凹んだ形状を有している。より具体的には、各溝部３８ａ〜３８ｃは、閉鎖弁サポート部材３０が機械室Ｓ２内に配置された状態において、板厚方向後側に向かって突出した、すなわち、サービスポート６１ａ、６２ａから遠ざかる方向に突出した形状を有している。溝部３８ａは、閉鎖弁サポート部材３０が機械室Ｓ２内に配置された状態において、第１本体部３１の下部の長手方向全体にわたって形成されている。溝部３８ｂは、閉鎖弁サポート部材３０が機械室Ｓ２内に配置された状態において、第１本体部３１の上下方向中央部の第１本体部３１の長手方向全体と、第２本体部３２（具体的には、装着部３５）の左端から切り欠き部３５ａの上側を横切って切り欠き部３５ｂの左側までの部分とにわたって形成されている。すなわち、溝部３８ｂは、板厚方向から見た際に液側閉鎖弁６１の少なくとも一部に重なるように長手方向に延びている。溝部３８ｃは、閉鎖弁サポート部材３０が機械室Ｓ２内に配置された状態において、第１本体部３１の上部の第１本体部３１の長手方向全体と、第２本体部３２（具体的には、干渉防止部３６）の左端から切り欠き部３５ａを横切って切り欠き部３５ｂの右端までの部分とにわたって形成されている。すなわち、溝部３８ｃは、板厚方向から見た際に液側閉鎖弁６１の全体とガス側閉鎖弁６２の少なくとも一部に重なるように長手方向に延びている。
【００４５】
さらに、第１被固定部３３、第１本体部３１及び第２本体部３２の上端は、ヘミング加工等によって下方に向かって折り返されている。また、第１本体部３１及び第２本体部３２の下端は、ヘミング加工等によって後方に向かって折り曲げられている。
【００４６】
（５）本実施形態の閉鎖弁サポート部材及びそれを備えた室外ユニットの特徴
本実施形態の閉鎖弁サポート部材３０及びそれを備えた室外ユニット１には、以下のような特徴がある。
【００４７】
（Ａ）
本実施形態の閉鎖弁サポート部材３０及びそれを備えた室外ユニット１では、干渉防止部３６と、装着部３５と干渉防止部３６との間をつなぐ段差部３７とが形成されているため、各閉鎖弁６１、６２のサービスポート６１ａ、６２ａとの干渉を防ぐことができるとともに、断面係数を大きくすることができる。これにより、各閉鎖弁６１、６２のサービスポート６１ａ、６２ａ（例えば、フレアナット６５を回す操作等）の操作性を確保するとともに強度を向上させることができる。
【００４８】
しかも、室外側接続ポート６１ｂ、６２ｂが、サービスポート６１ａ、６２ａの突出方向（上方向）と反対方向（下方向）に、閉鎖弁サポート部材３０の装着部３５からはみ出るように突出している（すなわち、装着部３５の下端から突出している）ため、室外側接続ポート６１ｂ、６２ｂのフレアナット６６を回す際の操作性も向上している。しかも、上述のように、干渉防止部３６及び段差部３７が形成されることで閉鎖弁サポート部材３０の強度が向上しているため、室外側接続ポート６１ｂ、６２ｂのフレアナット６６を回す際に変形が生じることもない。
【００４９】
（Ｂ）
本実施形態の閉鎖弁サポート部材３０では、干渉防止部３６及び段差部３７が各閉鎖弁６１、６２（具体的には、サービスポート６１ａ、６２ａ）の長手方向両側の部分にも連続するように形成されているため、各閉鎖弁６１、６２のサービスポート６１ａ、６２ａの操作性及び強度をさらに向上させることができる。
【００５０】
（Ｃ）
本実施形態の閉鎖弁サポート部材３０では、干渉防止部３６及び段差部３７が板厚方向から見た際に液側閉鎖弁６１とガス側閉鎖弁６２との長手方向間で連続するように形成されているため、強度がさらに向上している。
【００５１】
（Ｄ）
本実施形態の閉鎖弁サポート部材３０では、板厚方向から見た際に閉鎖弁６１、６２の少なくとも一部に重なるように長手方向に延びる溝部３８ｂ、３８ｃが形成されているため、強度をさらに向上させることができる。
【００５２】
しかも、溝部３８ｂ、３８ｃは、閉鎖弁サポート部材３０が機械室Ｓ２内に配置された状態において、板厚方向後側に向かって突出した、すなわち、サービスポート６１ａ、６２ａから遠ざかる方向に突出した形状を有しているため、サービスポート６１ａ、６２ａの操作性を損なうこともない。
【産業上の利用可能性】
【００５３】
本発明を利用すれば、室内ユニット側の冷媒配管が接続される閉鎖弁を支持しており、室外ユニットの第１固定部及び第２固定部に掛け渡される板状の閉鎖弁サポート部材において、閉鎖弁のサービスポートの操作性を確保するとともに強度を向上させることができる。
【図面の簡単な説明】
【００５４】
【図１】本発明にかかる閉鎖弁サポート部材の一実施形態が採用された室外ユニットの平面図（天板と圧縮機、室外熱交換器及び閉鎖弁以外の冷媒回路構成部品とを取り除いて図示）である。
【図２】室外ユニットの正面図（左右前板と圧縮機、室外熱交換器及び閉鎖弁以外の冷媒回路構成部品とを取り除いて図示）である。
【図３】液側閉鎖弁及びガス側閉鎖弁を示す図である。
【図４】閉鎖弁サポート部材を示す斜視図である。
【図５】図４をＭ方向から見た矢視図である。
【図６】図５のＮ−Ｎ断面図である。
【符号の説明】
【００５５】
１  室外ユニット
２  ユニットケーシング（ケーシング）
２８  仕切板
３０  閉鎖弁サポート部材
３５  装着部
３６  干渉防止部
３７  段差部
３８ｂ、３８ｃ  溝部
６１  液側閉鎖弁
６２  ガス側閉鎖弁
６１ａ、６２ａ  サービスポート